(57)【要約】【課題】外れるまでの持続期間を延長できるとともに、硬化した接着剤の表面による皮膚などへの物理的刺激を緩和させること。【解決手段】まつげ５０の長さを延長するエクステンション用まつげ１００であって、先端部１１と末端部１２とを有する人工まつげ本体部１０を備え、人工まつげ本体部１０は、まつげ５０に接触される根本部１５を有しており、根本部１５には、まつげ５０と人工まつげ本体部１０とを接着させる接着剤２０が付与されており、接着剤２０の表面２０ａには、当該接着剤２０の表面２０ａを平滑にする、コーティング剤からなる被膜３０が形成されている、エクステンション用まつげ１００である。【選択図】図１
0003170886.tif 000002
【実用新案登録請求の範囲】
【請求項１】
まつげの長さを延長するエクステンション用まつげであって、
先端部と末端部とを有する人工まつげ本体部を備え、
前記人工まつげ本体部は、前記まつげに接触される根本部を有しており、
前記根本部には、前記まつげと前記人工まつげ本体部とを接着させる接着剤が付与されており、
前記接着剤の表面には、当該接着剤の表面を平滑にする、コーティング剤からなる被膜が形成されている、エクステンション用まつげ。
【請求項２】
前記コーティング剤は、シェラックを主成分として含有している、請求項１に記載のエクステンション用まつげ。
【請求項３】
前記コーティング剤には、抗菌材料が含有されている、請求項１または２に記載のエクステンション用まつげ。
【請求項４】
前記抗菌材料は、銀イオンおよび酸化チタンからなる群から選択される少なくとも一つである、請求項３に記載のエクステンション用まつげ。
【請求項５】
前記接着剤は、アクリル系材料を含んでおり、
前記接着剤の表面には、凹凸が形成されている、請求項１から４の何れか１つに記載のエクステンション用まつげ。
【考案の詳細な説明】
【技術分野】
【０００１】
本考案は、エクステンション用まつげに関する。
【背景技術】
【０００２】
まつげに長さやボリュームを与え、より大きく、美しく、魅力的な目元を演出するためのアイテムの一つとして、つけまつげがある。つけまつげは、複数本の人工まつげを一纏めにして、その末端に接着部を設け、その接着部を使用者のまぶたに付けることによって、使用者のまつげに長さやボリュームを与えることができる（例えば、特許文献１、２など）。
【０００３】
これに対して、近年では、一本のまつげとほぼ同等の形状で長さや太さにボリュームを持たせた所謂エクステンションと呼ばれる人工まつげが提案されている（例えば、特許文献３、４など）。このエクステンション（人工まつげ）は、まぶたには接着せずに、接着剤（グルー）を用いてまつげに直接接着するため、装着感が良く、皮膚がかぶれるおそれが少ない。また、エクステンションは、まつげ一本に対して一本ずつ接着するので、つけまつげに比べて自然な感じでまつげに長さやボリュームを与えることができる。
【先行技術文献】
【特許文献】
【０００４】
【特許文献１】特開２００８−２３１６３２号公報
【特許文献２】特開２００５−１４６５００号公報
【特許文献３】特開２００８−２８５０８２号公報
【特許文献４】特開２０１０−２４５７９号公報
【考案の概要】
【考案が解決しようとする課題】
【０００５】
エクステンション（人工まつげ）は、装着したまま洗顔や入浴を行うことができる。しかしながら、洗顔や入浴などで洗浄を繰り返すと、まつげに接着剤で付け足したエクステンションは外れやすくなる。エクステンションが外れる期間がユーザーの想定していたものよりも短すぎると、使用者（装着者）の不満になってしまう。一方で、接着剤を通常のものよりも強力にするという手法もあるが、洗顔や入浴などの洗浄を繰り返すことで、エクステンションが外れやすくなるという基本的な問題は同じである。また、接着力が強力な接着剤に含まれる成分が、使用者の皮膚（まぶた等）をかぶれさせる原因になるおそれもある。
【０００６】
また、エクステンションに付与した接着剤が乾燥すると、その硬化した接着剤の表面にはトゲ、角、ざらつきが生じる。そのような接着剤の表面（トゲ、角、ざらつき）が皮膚や眼球に触れるとかゆくなり、接触性皮膚炎になったり、ひどい場合には眼球に傷がつくという接触性のトラブルが発生する原因にもなりかねない。
【０００７】
今日では、エクステンションは接着剤でまつげに付けた後、自然と、洗浄などによって外れてしまうというのが常識であるので、これらの問題は顕在化しておらず、また、乾燥した接着剤の表面による問題も顕在化していないのが実情である。したがって、エクステンションの業界においては、コスト面や取付け作業効率などが重要視されるものの、エクステンションに付与された接着剤への対応は問題視されておらず、本願考案者はこの問題を認識し、それについて鋭意検討し、本考案に至った。
【０００８】
本考案はかかる点に鑑みてなされたものであり、その主な目的は、外れるまでの持続期間を延長することができるとともに、硬化した接着剤の表面による皮膚などへの物理的刺激を緩和させることができるエクステンション用まつげを提供することにある。
【課題を解決するための手段】
【０００９】
本考案に係るエクステンション用まつげは、まつげの長さを延長するエクステンション用まつげであり、先端部と末端部とを有する人工まつげ本体部を備え、前記人工まつげ本体部は、前記まつげに接触される根本部を有しており、前記根本部には、前記まつげと前記人工まつげ本体部とを接着させる接着剤が付与されており、前記接着剤の表面には、当該接着剤の表面を平滑にする、コーティング剤からなる被膜が形成されている。
【００１０】
ある好適な実施形態において、前記コーティング剤は、シェラックを主成分として含有している。
【００１１】
ある好適な実施形態において、前記コーティング剤には、抗菌材料が含有されている。
【００１２】
ある好適な実施形態において、前記抗菌材料は、銀イオンおよび酸化チタンからなる群から選択される少なくとも一つである。
【００１３】
ある好適な実施形態において、前記接着剤は、アクリル系材料を含んでおり、前記接着剤の表面には、凹凸が形成されている。
【考案の効果】
【００１４】
本考案のエクステンション用まつげによれば、人工まつげ本体部の根本部に接着剤が付与され、接着剤の表面には、当該接着剤の表面を平滑にする、コーティング剤からなる被膜が形成されている。その結果、コーティング剤の被膜で接着剤の表面を保護することによって、エクステンション用まつげが外れるまでの持続期間を延長することができる。また、硬化した接着剤の表面による皮膚などへの物理的刺激を緩和させることが可能となる。
【００１５】
コーティング剤は、例えば、シェラックを主成分として含有している。シェラック（shellac）は、食品にも使用される無味無臭の人体に無害の物質であるがゆえに安全性に優れている。したがって、シェラックを主成分として含むコーティング剤によって接着剤の表面をコーティングすることにより、接着剤が皮膚などに接触する場合と比較して、安全性を向上させることができる。加えて、コーティング剤に抗菌剤が含有されている場合、まつげとエクステンション用まつげとの接合部分に抗菌性を付与することができ、その部分の細菌の繁殖を抑制することができる。
【図面の簡単な説明】
【００１６】
【図１】本考案の実施形態に係るエクステンション１００を取り付けた様子を示す図である。
【図２】人工まつげ本体部１０の構成を示す斜視図である。
【図３】まつげ５０と人工まつげ本体部１０とを接着させる接着剤２０の表面２０ａを被覆する被膜３０を示す図である。
【図４】接着剤２０の表面２０ａに形成された被膜３０を示す拡大図である。
【図５】（ａ）から（ｃ）は、人工まつげ本体部１０をまつげ５０に取り付ける方法を説明する図である。
【図６】エクステンション１００を上まつげ５０に取り付けた状態を示す図である。
【図７】まつげ５０と人工まつげ本体部１０とを接着させる接着剤の表面を被覆する被膜の様子を示す図面代用写真である。
【図８】接着剤の表面を被覆する被膜の様子を示す図面代用写真である。
【図９】接着剤の表面を被覆する被膜の様子を示す図面代用写真である。
【考案を実施するための形態】
【００１７】
以下、図面を参照しながら、本考案の実施の形態を説明する。以下の図面においては、説明の簡潔化のため、実質的に同一の機能を有する構成要素を同一の参照符号で示す。なお、本考案は以下の実施形態に限定されない。
【００１８】
図１を参照しながら、本考案の実施形態に係るエクステンション用まつげ１００について説明する。図１は、本実施形態のエクステンション用まつげ１００を、使用者（装着者）のまつげ５０に取り付けた様子を示す図である。
【００１９】
本実施形態のエクステンション用まつげ１００は、使用者５５のまつげ５０の長さを延長する人工まつげである。なお、本実施形態では、エクステンション用まつげを「エクステンション」と称する。
【００２０】
本実施形態のエクステンション１００は、先端部１１と末端部１２とを有する人工まつげ本体部１０を備えている。人工まつげ本体部１０は、まつげ５０に接触される根本部１５を有している。人工まつげ本体部１０は、図１および図２に示すように、まつげ型の形状を有しており、具体的には、人工まつげ本体部１０の末端部１２の径（ここでは、直径）は、先端部１１の径（直径）よりも太い。人工まつげ本体部１０は、かるく湾曲しており、先端部１１のトップは尖っている。本実施形態の人工まつげ本体部１０の長さは、例えば５ｍｍ〜２０ｍｍであり、末端部１２の端面の直径（または厚さ）は例えば０．０７ｍｍ〜０．３ｍｍである。
【００２１】
本実施形態の構成では、人工まつげ本体部１０は、樹脂から構成されている。本実施形態の人工まつげ本体部１０を構成する樹脂は、例えば、ポリブチレンテレフタレート、ポリエステル、アクリル、塩化ビニール、ナイロンから構成されている。この例の人工まつげ本体部１０は、ポリブチレンテレフタレート（ＰＢＴ）から構成されている。なお、人工まつげ本体部１０は、黒色の他、着色された材料から構成されていてもよい。人工まつげ本体部１０は、例えば、ダークブラウン、パープル、ブルー、ピンク、シルバー、グリーン、ライトオレンジ、ライトゴールド、レッド、ワインレッド、ホワイト、イエローなどの色にすることができ、それによって、カラーエクステンションを実現することが可能である。
【００２２】
図１に示すように、人工まつげ本体部１０の根本部１５には、まつげ５０と人工まつげ本体部１０とを接着させる接着剤（グルー）が付与されている。具体的には、図３及び図４に示すように、まつげ５０と人工まつげ本体部との接合部に接着剤２０が塗布され、接着剤を硬化させることによって、まつげ５０と人工まつげ本体部１０とが互いに接着状態になる。なお、図１では、まつげ５０と人工まつげ本体部との接着状態がわかりやすいように、接着剤２０の部分は断面構成で示している。
【００２３】
接着剤２０は、典型的には、つけまつげ用接着剤であり、例えば、アクリル系材料から構成された接着剤である。具体的には、接着剤２０は、シアノアクリレートを主成分とするものを挙げることができる。ここで、主成分とは、接着剤２０を構成する成分のうち一番多い成分のことを意味し、例えば５０％（質量）以上含まれているものをいう。なお、アクリル系材料以外から構成された接着剤を使用することも可能であるし、工業的に合成された材料からなる接着剤の他、天然成分由来の接着剤を使用することも可能である。
【００２４】
接着剤２０の表面２０ａには、当該接着剤２０の表面２０ａを平滑にする、コーティング剤からなる被膜３０が形成されている。本実施形態の接着剤２０の表面２０ａは、凹凸（２１）が形成されている。具体的には、接着剤２０の表面２０ａには、トゲ、角などの突起２１が生じている。本実施形態の構成では、接着剤２０の表面２０ａには、コーティング剤が形成されており、言い換えると、コーティング剤の被膜３０によって、接着剤２０の表面２０ａが保護されている。
【００２５】
本実施形態のコーティング剤は、好適な例で示すと、シェラックを主成分として含有するものである。シェラック（shellac）は、ラックカイガラムシおよびその近縁の数種のカイガラムシの分泌する虫体被覆物を生成して得られる樹脂状の物質である。セラックとも称される。シェラックの性質は、常温では黄色から褐色の透明性のある固体であり、精製すると白色、透明となる。シェラックは、無味無臭であり、人体に無害である。また、シェラックは、アルコール系溶剤に溶解し、他の有機溶剤には耐性を示す。シェラックのアルコール溶液、水溶液を蒸発させると、シェラックからなる透明被膜を形成させることができる。
【００２６】
本実施形態では、シェラックをアルコールに溶解させた溶液を、接着剤（グルー）２０の表面に塗布し、アルコールを蒸発させて、シェラックから構成された被膜３０（コーティング剤の被膜）を形成する。コーティング剤からなる被膜３０の厚さは、使用するコーティング剤の溶液濃度、塗布量などに依存するが、例えば０．５ｍｍ以下（一例では、０．３ｍｍ〜０．０１ｍｍ程度）である。
【００２７】
本実施形態の構成においては、コーティング剤からなる被膜３０は、コーティング剤を含有する溶液を、硬化した接着剤２０の表面２０ａに塗布することによって形成される。本実施形態のコーティング剤の被膜３０の表面３０ａは平滑となっており、それゆえに、当該表面３０ａによって接着剤２０の凹凸した表面を平滑にすることができる。ここでのコーティング剤の被膜３０における「平滑」は、平面または円筒曲面のような平坦の状態を厳密に定義して意味しているわけではなく、突起２１のようなものがない滑らか状態を意味しており、したがって、被膜の表面が波になっている状態であっても構わない。
【００２８】
次に、図５（ａ）から（ｃ）を参照しながら、本実施形態の人工まつげ本体部１０をまつげ５０に取り付ける方法を説明する。
【００２９】
まず、図５（ａ）に示すように、人工まつげ本体部１０の一部をピンセット７０で掴み、そして根本部１５に接着剤２０を塗布した状態で、人工まつげ本体部１０をまつげ５０の近くに持っていく。
【００３０】
次に、図５（ｂ）に示すように、人工まつげ本体部１０の接着剤２０をまつげ５０に付けて、人工まつげ本体部１０をまつげ５０に密着させる。続いて、接着剤２０が硬化して、人工まつげ本体部１０がまつげ５０に接着して固定される。人工まつげ本体部１０がまつげ５０に固定されたら、ピンセット７０を外して構わない。
【００３１】
その後、図５（ｃ）に示すように、硬化した接着剤２０の表面にコーティング剤を塗布することによって、接着剤２０の表面に、コーティング剤からなる被膜３０を形成し、当該被膜３０で接着剤２０を覆って保護する。このように、本実施形態のエクステンション１００は、接着剤２０の表面２０ａにコーティング剤を塗布することによって形成することができる。そして、硬化した接着剤２０の表面に凹凸（突起）２１が生じていても、コーティング剤の被膜３０によって、まつげ５０と人工まつげ本体部１０との接合部を保護することができる。
【００３２】
この人工まつげ本体部１０の取付け作業は各まつげ５０について行う。なお、コーティング剤を接着剤２０の表面に塗布する工程は、まつげ５０の一本ずつ行ってもよいし、複数のまつげ５０に対してまとめて（すなわち、連続して）、コーティング剤の塗布工程を行ってもよい。もちろん、すべてのまつげ５０に人工まつげ本体部１０を取り付けた後に、コーティング剤の塗布工程を行っても構わない。
【００３３】
本実施形態のエクステンション１００では、人工まつげ本体部１０の根本部１５に接着剤２０が付与され、接着剤２０の表面２０ａには、コーティング剤からなる被膜３０が形成されており、それによって、接着剤２０の表面２０ａを平滑にすることができる。本実施形態の構成によれば、コーティング剤の被膜３０によって接着剤２０の表面２０ａを保護することができるので、エクステンション１００（または人工まつげ本体部１０）が外れるまでの持続期間を延長することができる。また、コーティング剤の被膜３０によって接着剤２０の表面２０ａを保護することにより、硬化した接着剤の表面による皮膚などへの物理的刺激を緩和させることが可能となる。
【００３４】
さらに説明すると、接着剤２０が硬化すると、接着剤２０の表面２０ａに突起２１が発生して、ザラツキが生じる。この接着剤２０の突起２１によって、日常のまばたきや目を強くこすることで眼球に傷がつき、角膜炎、結膜炎などの症状が生じる可能性がある。また、この接着剤２０の突起２１によって、肌や粘膜付近に炎症などが生じることがあり得る。本実施形態のエクステンション１００によれば、コーティング剤の被膜３０によって、硬化した接着剤２０の表面２０ａがコーティングされるので、接着剤２０の表面２０ａのザラツキがなくなるので、眼球や肌などに傷がつくことを防止することができる。
【００３５】
また、コーティング剤の被膜３０によって接着剤２０を保護することができることにより、エクステンション１００を装着したまま洗顔や入浴を繰り返し行った場合でも、被膜３０がない場合と比較して、エクステンション１００が外れるまでの持続期間を延長することができる。なお、被膜３０による持続期間の延長の効果は、接着剤２０の表面２０ａに突起２１が存在しない場合でも得ることができる。なお、接着剤２０の表面２０ａに突起２１が存在しない場合でも、被膜３０の表面３０ａは平滑な状態にすることができる。
【００３６】
本願考案者の検討によれば、接着剤２０に被膜３０を形成することにより、典型的には、エクステンションの持続期間を４日程度は延長させることができる。実際には、使用者（装着者）のまつげ５０の状態、洗顔・入浴などの洗浄の内容・回数などに依存して、持続期間の延長の日数は変更する。従来のエクステンションの持続期間が２〜３週間の場合、本実施形態のエクステンション１００の持続期間は３〜４週間程度にすることができる。また、従来のエクステンションの持続期間が４日程度の場合、本実施形態のエクステンション１００の持続期間は８日程度にすることができる。少しの持続期間の延長（例えば、４日程度）であっても、エクステンションの装着が必要な日までにエクステンションが持続するかどうかに影響するので、使用者が享受できる利益は大きいものである。
【００３７】
加えて、使用者が湿度の多い場所に滞在すると、エクステンションの接着剤２０がポリマーの影響で白っぽくなることがある。本実施形態のエクステンション１００によれば、コーティング剤の被膜３０により、そのような接着剤２０が白くなることを抑制することができる。さらには、接着剤２０と接着剤２０とが互いに摩擦して白くなることがあるが、本実施形態のエクステンション１００によれば、そのような白い状態になることも抑制することができる。
【００３８】
本実施形態のコーティング剤として、シェラックを主成分して含有するものを例示として示したが、それに限定されるものではない。シェラックは人体に無害であるので好ましいものであるが、接着剤２０を被覆するコーティング剤は、食品などと違い口に入れるものではないため、それ以外の物質を使用することも可能である。シェラック以外のコーティング剤としては、例えば、コラーゲン、ゼラチンなどのタンパク質材料を挙げることができる。
【００３９】
また、本実施形態のエクステンション１００において、コーティング剤に抗菌材料を含有させることができる。コーティング剤に抗菌剤が含有されている場合、まつげとエクステンション用まつげとの接合部分（接着剤２０）を覆う被膜３０に抗菌性を付与することができ、その結果、その部分の細菌の繁殖を抑制することができる。これにより、まつげとエクステンション用まつげとの接合部分（接着剤２０）の保護とともに、抗菌性の効果を得ることができる。
【００４０】
コーティング剤に含有される抗菌剤としては、例えば、銀イオン（Ａｇ＋）、酸化チタンなどを挙げることができる。銀イオンを含有したコーティング剤からなる被膜３０では、被膜３０中の銀イオンの抗菌効果により、細菌（雑菌）の繁殖を抑制することができる。すなわち、エクステンション１００の接合部分に抗菌性を持たせることができるので、それを長時間まつげ５０に付けていても、接合部分における細菌の増殖による弊害を抑えることができる。
【００４１】
なお、銀イオンは、各種の細菌の細胞に強く吸着し、細菌の細胞酵素をブロッキングして死滅させることができる。したがって、銀イオンによって細菌の繁殖を制御することができる。また、銀イオンは、抗菌効果が比較的強い特徴を有するとともに、人体に対して極めて安全性が高いという特徴を有しており、したがって、エクステンション１００が間違って人間の口に入ったとしても、銀イオンによる問題は実質的に生じない。なお、銀イオンとシェラックを含有するコーティング剤の場合、いずれも、人体に対して安全性が高いので、その点で好適である。本実施形態の構成では、銀イオンをコーティング剤中において１０％（質量）以下にすることができ、典型的には５％または５％程度にすることができる。
【００４２】
銀イオンに代えて（または、銀イオンとともに）、酸化チタンをコーティング剤に含有させた場合にも、被膜３０に抗菌性を持たせることができる。なお、銀イオン、酸化チタンの他の抗菌材料を用いることも可能である。抗菌材料としては、無機系抗菌剤（金属イオンの静菌作用を利用したもの）、有機系抗菌剤（有機物を利用した抗菌剤。合成系抗菌剤または天然系抗菌剤）を挙げることができる。
【００４３】
なお、本実施形態の人工まつげ本体部１０では、断面が円形であるものを示したが、それに限らず、楕円形（または実質的に楕円形または長円形）のものであっても構わない。加えて、人工まつげ本体部１０の断面を多面形（六角形、八角形など）にすることも可能であるし、断面を星形（六角形の星形、八角形の星形）にすることも可能である。また、人工まつげ本体部１０の少なくとも根本部１５の表面をザラザラの状態（微少な凹凸）にすることも可能である。
【００４４】
図６は、上まつげ５０のそれぞれにエクステンション１００を取り付けた様子を示して
いる。図６に示すように、数多くのエクステンション１００が上まつげ５０に取り付けら
れている。被膜３０がない状態では、エクステンション１００の接着剤２０同士が擦れる可能性が高いが、本実施形態の構成によれば、接着剤２０は被膜３０によって保護されているので、接着剤２０同士の直接の接触を避けることができる。
【００４５】
図７は、まつげ５０と人工まつげ本体部１０とを接着する接着剤２０の表面２０ａを被膜３０がコーティングをしている様子を示す図面代用写真である。図７に示すように、接着剤２０の表面２０ａは被膜３０のコーティングによって保護され、平滑な状態になっていることがわかる。
【００４６】
図８および図９は、接着剤２０の表面２０ａをコーティングする被膜３０の様子を示す図面代用写真である。図８および図９では、接着剤２０の表面２０ａの様子を理解しやすいように、樹脂プレートの上に接着剤２０を塗り、そして、その接着剤２０の表面２０ａを覆うように被膜３０を形成している。図８および図９からわかるように、接着剤２０の表面２０ａには凹凸が存在し、そして、その凹凸を被膜３０が覆って、接着剤２０の表面（正確には、被膜３０の表面）が平滑になっていることがわかる。
【００４７】
以上、本考案を好適な実施形態により説明してきたが、こうした記述は限定事項ではなく、勿論、種々の改変が可能である。例えば、図６に示した構成において、下まつげにエクステンション１００を取り付けても構わない。さらには、図５（ａ）から（ｃ）に示した状態において、接着剤２０ではなくて、液体（例えば、水、又は、水よりも粘度が大きい液体（典型的には、液状の化粧品））を用いて、人工まつげ本体部１０をまつげ５０に仮止めすることも可能である。この仮止めによって、使用者（装着者）５５が、本実施形態のエクステンション１００のデザインや付け心地などを確認することができる。仮止め用の溶液として、コーティング剤（例えば、シェラック溶液）を用いることも可能である。
【００４８】
また、図５（ａ）から（ｃ）に示した例では、使用者（装着者）５５のまつげ５０に、本実施形態の人工まつげ本体部１０を取り付ける例を示したが、まつげ５０は、つけまつげのまつげ部分であってもよい。すなわち、人間のまつげでなく、つけまつげのまつげ部分５０に、本実施形態の人工まつげ本体部１０を取り付けることによって、使用者の好みに応じた独自のつけまつげを作製することができる。また、エクステンションの取り付けの練習として、つけまつげのまつげ部分５０に人工まつげ本体部１０を取り付ける場合もあり得る。
【産業上の利用可能性】
【００４９】
本考案によれば、外れるまでの持続期間を延長することができるとともに、硬化した接着剤の表面による皮膚などへの物理的刺激を緩和させることができるエクステンション用まつげ（エクステンション）を提供することができる。
【符号の説明】
【００５０】
１０  人工まつげ本体部
１１  先端部
１２  末端部
１５  根本部
２０  接着剤
２０ａ  接着剤の表面
２１  突起
３０  被膜
３０ａ  被膜の表面
５５  使用者（装着者）
７０  ピンセット
１００  エクステンション（エクステンション用まつげ）
【図１】
0003170886.tif 000003
【図２】
0003170886.tif 000004
【図３】
0003170886.tif 000005
【図４】
0003170886.tif 000006
【図５】
0003170886.tif 000007
【図６】
0003170886.tif 000008
【図７】
0003170886.tif 000009
【図８】
0003170886.tif 000010
【図９】
0003170886.tif 000011